(57)【特許請求の範囲】
【請求項１】
開放型のＭＲ装置の下部体の上面に着脱可能に設けられ、クレードルがその上を走行するフロアカバーにおいて、
前記下部体上を移動可能なスライド手段を設けたことを特徴とするフロアカバー。
【請求項２】
前記スライド手段は、
下面に固設されたことを特徴とする請求項１記載のフロアカバー。
【請求項３】
前記スライド手段は、
前記下部体内に格納可能であることを特徴とする請求項１または２記載のフロアカバー。
【請求項４】
テーブルが設けられるＭＲ装置の前部から着脱されることを特徴とする請求項１乃至３のいずれかに記載のフロアカバー。
【請求項５】
前記スライド手段は、
ＭＲ装置の後部側に設けられることを特徴とする請求項４記載のフロアカバー。
【請求項６】
前記スライド手段は、
複数設けられることを特徴とする請求項１乃至４のいずれかに記載のＭＲ装置のフロアカバー。
【請求項７】
前記スライド手段は、
前記上部体内の内部機器の上部を覆う樹脂板上を移動することを特徴とする請求項１乃至６のいずれかに記載のフロアカバー。
【請求項８】
前記スライド手段は、
前記フロアカバーの下面に設けられたベースと、
該ベースに対して回転可能に設けられ、格納時には前記下部体に形成された空間に係合し、使用時には回転して、前記樹脂板上を移動可能なスライダと
からなることを特徴とする請求項１乃至７のいずれかに記載のフロアカバー。
【請求項９】
前記スライダは、
前記樹脂板上に摺接することを特徴とする請求項８記載のＭＲ装置のフロアカバー。
【請求項１０】
前記スライダは、低摩擦樹脂でなることを特徴とする請求項９記載のＭＲ装置のフロアカバー。
【請求項１１】
前記スライダの前端面および後端面と、前記樹脂板とのなす角を鈍角としたことを特徴とする請求項９または１０記載のフロアカバー。
【請求項１２】
前記スライダは、
前記樹脂板上を転動することを特徴とする請求項８記載のフロアカバー。
【請求項１３】
前記スライダは、
床面に対して垂直な面上で回転することを特徴とする請求項８乃至１２のいずれかに記載のフロアカバー。
【請求項１４】
前記スライダは、
床面と平行な面上で回転することを特徴とする請求項８乃至１２のいずれかに記載のフロアカバー。
【請求項１５】
前記スライダの使用時の回転を禁止するストッパを設けたことを特徴とする請求項８乃至１４のいずれかに記載のフロアカバー。
【請求項１６】
前記請求項１乃至１５のいずれかに記載のフロアカバーを有することを特徴とするＭＲ装置。
【発明の詳細な説明】
【０００１】
【発明の属する技術分野】
本発明は、開放型のＭＲ（Ｍｇｎｅｔｉｃ  Ｒｅｓｏｎａｎｃｅ）装置の下部体の上面を覆い、被検体が載置されたクレードル（ｃｒａｄｌｅ）がその上を走行するフロアカバー（ｆｌｏｏｒ  ｃｏｖｅｒ）およびＭＲ装置に関する。
【０００２】
【従来の技術】
開放型のＭＲ装置の斜視図である図６を用いて説明する。
開放型ＭＲ装置は、大別して下部体１と、上部体３と、下部体１上で空間Ａを介して上部体３を支持する２つの支柱５，７とで構成される。
【０００３】
下部体１及び上部体３の内部には、空間Ａに均一な静磁場を形成するマグネット（ｍａｇｎｅｔ）や、被検体ＰからのＭＲ信号を受信する受信コイル（ｃｏｉｌ）等が設けられている。
【０００４】
被検体Ｐは、テーブル１１に設けられたクレードル１３に載置され、クレードル１３が矢印Ｉ方向に進退することにより、被検体ＰはＭＲ装置の空間Ａに搬入／搬出されるようになっている。
【０００５】
尚、クレードル１３は、下部体１の上面上を摺動しながら矢印Ｉ方向に進退する。
また、テーブル１１は、被検体のクレードル１３への乗降を容易にするために、矢印ＩＩ方向に昇降可能となっている。
【０００６】
さらに、テーブル１１は、被検体ＰをＭＲ装置に対して任意の方向から空間Ａへ搬入可能とするため、ＭＲ装置に沿って矢印ＩＩＩ方向に移動可能となっている。
【０００７】
下部体１の上面（フロア（ｆｌｏｏｒ））は、内部の受信コイルやマグネットの点検が容易にできるように、フロア全面にわたって脱着可能なカバー（以後、フロアカバー２１という）となっており、クレードル１３はこのフロアカバー２１上を走行する。
【０００８】
また、フロアカバー２１の前縁部には、クレードル１３等の衝突を検出するタッチセンサ（ｔｏｕｃｈ  ｓｅｎｓｏｒ）３１が設けられている。
このタッチセンサー３１は、図６の切断線Ａ−Ａでの断面図である図７に示すように、センサ（ｓｅｎｓｏｒ）本体３３が設けられ、フロアカバー２１の前縁部の角部に設けられる長尺状のベース（ｂａｓｅ）３５と、ベース３５に両面テープ（ｔａｐｅ）で取り付けられ、ベース３５を覆うゴム製のセンサカバー（ｓｅｎｓｏｒ  ｃｏｖｅｒ）３７とからなっている。
【０００９】
【発明が解決しようとする課題】
上記構成のＭＲ装置のフロアカバー２１は面積が広いので、一人では脱着できず、脱着には二名の作業者が必要であった。
【００１０】
尚、図８に示すように、一人で脱着可能な大きさのフロアカバー２３を設けることも可能である。
しかし、このようなフロアカバー２３を設けた場合、フロアカバー２３と周囲のフロアとの間に溝Ｇが発生するので、この溝Ｇにゴミ等が入り込み不衛生になる。
【００１１】
さらに、クレードル１３がこの溝Ｇ上を通過する際に、乗り心地が悪くなるという別の問題点が発生する。
本発明は、上記問題点に鑑みてなされたもので、その課題は、一人で脱着が行えるフロアカバー及びＭＲ装置を提供することにある。
【００１２】
【課題を解決するための手段】
上記課題を解決する請求項１記載の発明は、開放型のＭＲ装置の下部体の上面に着脱可能に設けられ、クレードルがその上を走行するフロアカバーにおいて、前記下部体上を移動可能なスライド手段（ｓｌｉｄｅ）を設けたことを特徴とするフロアカバーである。
【００１３】
前記下部体上を移動可能なスライド手段を設けたことにより、一人でフロアカバーの着脱を行える。
請求項２記載の発明は、前記スライド手段は、下面に固設されたことを特徴とする請求項１記載のフロアカバーである。
【００１４】
前記スライド手段は、下面に固設されたことにより、スライド手段の取り付け／取り外しの手間がなくなり、作業性が向上する、。
請求項２記載の発明は、前記スライド手段は、前記下部体内に格納可能であることを特徴とする請求項１記載のフロアカバーである。
【００１５】
前記スライド手段は、前記下部体内に格納可能であることにより、小型化が図れる。
請求項３記載の発明は、前記スライド手段は、前記下部体内に格納可能であることを特徴とする請求項１または２記載のフロアカバーである。
【００１６】
前記スライド手段は、前記下部体内に格納可能であることにより、装置が大型化しない。
請求項４記載の発明は、テーブルが設けられるＭＲ装置の前部から着脱されることを特徴とする請求項１乃至３のいずれかに記載のフロアカバーである。
【００１７】
スペースがあるテーブルが設けられるＭＲ装置の前部から着脱することにより、作業が容易となる。
請求項５記載の発明は、前記スライド手段は、ＭＲ装置の後部側に設けられることを特徴とする請求項４記載のフロアカバーである。
【００１８】
前記スライド手段は、ＭＲ装置の後部側に設けられることにより、ＭＲ装置の前部から着脱する際に、フロアカバーが安定した状態で着脱を行える。
請求項６記載の発明は、前記スライド手段は、複数設けられることを特徴とする請求項１乃至４のいずれかに記載のＭＲ装置のフロアカバーである。
【００１９】
前記スライド手段は、複数設けられることにより、人と複数のスライド手段とで少なくとも三点支持状態となり、安定した状態で着脱を行える。
請求項７記載の発明は、前記スライド手段は、前記上部体内の内部機器の上部を覆う樹脂板上を移動することを特徴とする請求項１乃至６のいずれかに記載のフロアカバーである。
【００２０】
前記スライド手段は、前記上部体内の内部機器の上部を覆う樹脂板上を移動することにより、円滑な移動を得ることができる。
請求項８記載の発明は、前記スライド手段は、前記フロアカバーの下面に設けられたベースと、該ベースに対して回転可能に設けられ、格納時には前記下部体に形成された空間に係合し、使用時には回転して、前記樹脂板上を移動可能なスライダ（ｓｌｉｄｅｒ）とからなることを特徴とする請求項１乃至７のいずれかに記載のフロアカバーである。
【００２１】
ベースと、スライダとからなる構成なので安価である。
また、スライダは、格納時には前記下部体に形成された空間に係合することにより、ＭＲ装置が大型化することもない。
【００２２】
スライダとしては、請求項９記載の発明のように前記樹脂板上に摺接するものであってもよいし、又、請求項１２記載の発明のようにローラやボール等の前記樹脂板上を転動するものであってもよい。
【００２３】
請求項１０記載の発明は、前記スライダは、低摩擦樹脂でなることを特徴とする請求項９記載のＭＲ装置のフロアカバー。
前記スライダは、低摩擦樹脂でなることにより、摺動抵抗が小さくなり、スムーズ（ｓｍｏｏｔｈ）な移動を得ることができる。
【００２４】
請求項１１記載の発明は、前記スライダの前端面および後端面と、前記樹脂板とのなす角を鈍角としたことを特徴とする請求項９または１０記載のフロアカバーである。
【００２５】
前記スライダの前端面および後端面と、前記樹脂板とのなす角を鈍角としたことにより、樹脂板上に多少の凹凸があっても、スムーズに乗り越えることができる。
【００２６】
なお、ベースに対して回転可能に設けられるスライダとしては、請求項１３記載の発明のように、床面に対して垂直な面上で回転するものであってもよいし、請求項１４記載の発明のように、床面と平行な面上で回転するものであってもよい。
【００２７】
請求項１５記載の発明は、前記スライダの使用時の回転を禁止するストッパ（ｓｔｏｐｐｅｒ）を設けたことを特徴とする請求項８乃至１４のいずれかに記載のフロアカバーである。
【００２８】
スライダの使用時の回転を禁止するストッパを設けたことにより、移動中にストッパが自転し、移動できなくなることを防止し、フロアカバーのスムーズな移動を得ることができる。
【００２９】
請求項１６記載の発明は、前記請求項１乃至１５のいずれかに記載のフロアカバーを有することを特徴とするＭＲ装置である。
前記請求項１乃至１５のいずれかに記載のフロアカバーを有することで、一人で脱着が行える。
【００３０】
以下のような構成も好ましい態様である。
（１）センサ本体と、このセンサ本体が設けられ、フロアカバーの前縁部に設けられる長尺状のベースと、ベースを覆うセンサカバーからなり、フロアカバーの前縁部に設けられるタッチセンサとして、
前記ベースの長手方向の側部にフロアカバーと協働して係止空間を形成する凸部を形成し、
前記センサカバーに前記係止空間に係合可能な爪部を長手方向に沿って形勢した構成。
【００３１】
このような構成とすることで、両面テープ等でセンサカバーを取り付ける場合にくらべ、経時変化がない。
また、センサカバーの爪部を係止空間に係合させるだけでよいので、作業性も良好で、作業者の熟練度によるバラツキも少なくなる。
【００３２】
さらに、ベース及びセンサカバーを全長にわたって一様断面形状とすることで、押出成形法で製造でき、安価となる。
【００３３】
【発明の実施の形態】
次に図面を用いて本発明の実施の形態例を説明する。
最初に、フロアカバーを取り外した状態を示す図２を用いて、本実施の形態例の開放型ＭＲ装置の全体構成を説明する。
【００３４】
開放型ＭＲ装置の外観形状は、従来例と同様に、大別して下部体１０１と、上部体１０３と、下部体１０１上で空間Ａを介して上部体１０３を支持する２つの支柱１０５，１０７とで構成される。
【００３５】
下部体１０１及び上部体１０３の内部には、空間Ａに均一な静磁場を形成するマグネットや、被検体からのＭＲ信号を受信する受信コイル等が設けられている。
【００３６】
さらに、下部体１０１では、マグネットやコイルを覆う樹脂板２０１が設けられている。
一方、下部体１０１の上面を全面にわたって覆うフロアカバー１２１の下面には、樹脂板２０１上を摺接移動可能なスライド手段３０１が設けられている。
【００３７】
また、フロアカバー１２１の前縁部には、クレードル等の衝突を検出するタッチセンサ１３１が設けられている。
本実施の形態例では、図示しないテーブルが設けられる手前側のほうがスペースがあるので、スライド手段３０１は、フロアカバー１２１の奥側に二つ設けている。
【００３８】
次に、スライド手段３０１の使用状態を示す図１を用いてスライド手段３０１の説明を行なう。尚、図１（ａ）は図２のＢ方向から見た図、図１（ｂ）は図１（ａ）の上面図である。
【００３９】
フロアカバー１２１の下面には、下方へ延びるベース３０３が取り付けられている。このベース３０３の下端部には、蝶番３０５を介して、低摩擦樹脂からなるスライダ３０７が回転可能に設けられている。
【００４０】
このスライダ３０７の前端面２０１ａおよび後端面２０１ｂは、樹脂板２０１とのなす角が鈍角となるようなテーパ面とし、樹脂板２０１上に多少の凹凸があっても、スムーズに乗り越えることを可能とした。
【００４１】
尚、図１は使用状態であるので、スライダ３０７が樹脂板２０１上を摺接可能な状態となっている。
ベース３０３には、スライダ３０７に当接し、スライダ３０７の矢印Ｃ方向の回転を禁止するストッパ３０９が設けられている。
【００４２】
また、スライダ３０７の反矢印Ｃ方向の回転は、蝶番３０５が閉じた状態なので、それ以上の反矢印Ｃ方向の回転は禁止された状態にある。
ベース３０３には、ベース３０３と協働してストッパ３０９が挿通する空間が形成されたガイド３１１が設けられ、このガイド３１１とベース３０３が形成する空間にストッパ３０９が挿通することにより、ストッパ３０９は上下方向にのみ移動可能となっている。
【００４３】
さらに、ストッパ３０９の下部には抜け止め用の突起３０９ａが形成され、ストッパ３０９の上部には、抜け止め用のねじ３１３が設けられている。
次に、図３を用いてスライド手段３０１の格納状態を説明する。
【００４４】
ストッパ３０９を上方向に移動させ、スライダ３０７を回転させ、下部体１０１に形成された空間Ｄに係合している。
次に、図４を用いてタッチセンサ１３１の説明を行う。図４は図１のタッチセンサ１３１の断面図である。
【００４５】
タッチセンサ１３１は、センサ本体１３３と、このセンサ本体１３３が設けられ、フロアカバー１２１の前縁部に設けられる弾性を有する長尺状のベース１３５と、ベース１３５を覆う弾性を有するセンサカバー１３７からなっている。
【００４６】
ベース１３５の長手方向の側部には、フロアカバー１２１と協働して係止空間Ｅを形成する凸部１３５ａが形成されている。
一方、センサカバー１３７には、係止空間Ｅに係合可能な爪部１３７ａが長手方向に沿って形成されている。
【００４７】
上記構成によれば、以下のような効果を得ることができる。
（１）フロアカバー１２１に下部体１０１上である樹脂板２０１上を移動可能なスライド手段３０１を設けたことにより、一人でフロアカバー１２１の着脱を行える。
（２）スライド手段３０１を二つ設けたことで、人と二つのスライド手段３０１とで三点支持となり、安定した状態で着脱することができる。
（３）スライド手段３０１は、ベース３０３と、スライダ３０７と、ストッパ３０９とからなる構成なので安価である。
（４）スライダ３０７は、格納時には下部体１０１に形成された空間Ｄに係合することにより、ＭＲ装置が大型化することもない。
（５）スライダ３０７の使用時の回転を禁止するストッパ３０９を設けたことにより、移動中にストッパ３０９が自転し、移動できなくなることを防止し、フロアカバー１２１のスムーズな移動を得ることができる。
（６）タッチセンサ１３１においては、センサカバー１３７の爪部１３７ａを係止空間に係合させるだけでよいので、作業性も良好で、作業者の熟練度によるバラツキも少なくなる。
【００４８】
さらに、ベース１３５及びセンサカバー１３７は一様断面形状であるので、材質を弾性を有する樹脂やゴムにすることにより、押出成形法で製造でき、安価となる。
【００４９】
尚、本発明は上記実施の形態例に限定するものではない。
スライダとしては、樹脂板２０１上を摺動するものではなく、ローラ）、ボール等を用いた転動するタイプでもよい。
【００５０】
また、上記実施の形態例では、格納時には下部体に形成された空間Ｄに係合するようにしたが、図５（ａ）に示すように、上方に格納してもよいし、図５（ｂ）に示すように水平方向に格納してもよい
【００５１】
【発明の効果】
以上述べたように本発明によれば、一人で脱着が行えるフロアカバー及びＭＲ装置を実現できる。
【図面の簡単な説明】
【図１】実施の形態例のスライド手段の使用状態を示す図で、（ａ）図は図２のＢ方向から見た図、（ｂ）図は（ａ）図の上面図である。
【図２】実施の形態例の開放型ＭＲ装置の全体構成で、フロアカバーを取り外した状態を示す図である。
【図３】図１での格納状態を示す図である。
【図４】図１のタッチセンサの断面図である。
【図５】他の実施の形態例を説明する図である。
【図６】開放型のＭＲ装置の斜視図である。
【図７】図６の切断線Ａ−Ａでの断面図である。
【図８】問題点を説明する図である。
【符号の説明】
１０１  下部体
１２１  フロアカバー
１３１  タッチセンサ
３０１  スライド手段
【図１】
0003814158.tif 000002
【図２】
0003814158.tif 000003
【図３】
0003814158.tif 000004
【図４】
0003814158.tif 000005
【図５】
0003814158.tif 000006
【図６】
0003814158.tif 000007
【図７】
0003814158.tif 000008
【図８】
0003814158.tif 000009